(57)【要約】【課題】簡略な操作で画像に重畳される情報表示を一時的に消去可能な撮像装置を提供する。【解決手段】シャッタボタンの操作に応じて画像を記録できるデジタルカメラ１００において、ライブビューまたは再生画像を表示する液晶画面１０１を設ける。液晶画面１０１に表示された画像に所定の情報を重畳して表示可能とする。シャッタボタンとは異なるディスプレイボタン１０５を設ける。ディスプレイボタン１０５の操作開始に合わせて重畳されている情報を液晶画面１０１に表示されている画像から消去する。ディスプレイボタン１０５が操作されている間、情報の非表示を継続し、操作終了に合わせて、それまで重畳されていた情報を再び液晶画面１０１に表示されている画像に重畳する。【選択図】図１
2020043604.tif 000002
【特許請求の範囲】
【請求項１】
撮像指示操作部材の操作に応じて画像を撮像する撮像装置であって、
前記画像を表示する表示部と、
撮像光学系によって撮像された画像を前記表示部に表示する画像表示手段と、
前記表示部の前記画像に重畳して情報表示を行う情報表示手段と、
前記撮像指示操作部材とは異なる操作部材とを有し、
前記操作部材の操作開始に応じて前記重畳する情報表示状態を第１の表示状態とし、
前記操作部材の操作終了に応じて前記重畳する情報表示状態を前記第１の表示状態とは異なる第２の表示状態とする
ことを特徴とした撮像装置。
【請求項２】
撮像指示操作部材の操作に応じて画像を撮像する撮像装置であって、
前記画像を表示する表示部と、
記録素子に記録された画像を前記表示部に表示する画像表示手段と、
前記表示部に表示された前記記録素子に記録された画像に重畳して情報表示を行う情報表示手段と、
前記撮像指示操作部材とは異なる操作部材を有し、
前記操作部材の操作開始に応じて前記重畳する情報表示状態を第１の表示状態とし、
前記操作部材の操作終了に応じて前記重畳する情報表示状態を前記第１の表示状態とは異なる第２の表示状態とする
ことを特徴とした撮像装置。
【請求項３】
前記重畳する情報表示状態を前記第１の表示状態と前記第２の表示状態との間で変更する変更処理は、前記記録素子に記録された画像に対して画像処理を施そうとして該画像を前記表示部に表示した状態において実行され、前記重畳する情報表示には、前記画像処理に関する情報を含むことを特徴とした請求項２に記載の撮像装置。
【請求項４】
前記第１の表示状態と前記第２の表示状態の少なくとも一方の表示状態において表示される項目および／または形態を変更することができることを特徴とする請求項１〜３の何れか一項に記載の撮像装置。
【請求項５】
前記操作部材の前記操作開始に応じて前記撮像光学系の開口を第１の開口状態とし、前記操作部材の前記操作終了に応じて該開口を前記第１の開口状態とは異なる第２の開口状態とすることを特徴とした請求項１に記載の撮像装置。
【発明の詳細な説明】
【技術分野】
【０００１】
本発明は、画像ディスプレイを備える撮像装置における画像の表示切り替え機能に関する。
【背景技術】
【０００２】
ビデオカメラなどでは、タイトル、字幕、キャプションなどの文字列を映像効果として撮影動画に重畳可能としたものがある。このような映像効果は、ユーザの要求に応じて消去可能であることが望ましく、例えばユーザのボタン操作により同効果を消去する構成が既に知られている。また、ユーザの負担を軽減するために被写体の動きに応じて映像効果を消去する構成や、撮影条件変更時に同効果を消去する構成などが提案されている（特許文献１参照）。
【先行技術文献】
【特許文献】
【０００３】
【特許文献１】特開２０１２−１０９８５０号公報
【発明の概要】
【発明が解決しようとする課題】
【０００４】
デジタルカメラにおいても、ライブビューや再生画像を表示中にカメラに設けられる各種機能に関わる情報を重畳して表示することがある。例えば、撮影時のライブビューには、一般的に撮影情報や、電子水準器、あるいは電子コンパス等を重畳して表示される。また再生時の再生画像には、露出情報や、詳細な設定値の情報、あるいはヒストグラムなどが重畳して表示される。
【０００５】
一方、構図を確認する際などには、重畳されている情報を非表示とする要求もある。このような場合、ユーザはスイッチ操作により重畳されている情報を非表示とするが、再度所望の情報を重畳させるには、最低でも複数回のスイッチ操作を行う必要がある。構図の確認などは、撮影直前に一時的に行うことが多く、次の撮影を行う際にはユーザ所望の情報を重畳した情報表示を行うことが一般的である。しかし、従来の構成では、情報表示を一時的に消去し、その後再度所望の情報表示を行うには繁雑な操作が必要であった。
【０００６】
本発明は、使いやすい撮像装置を提供することを課題としている。
【課題を解決するための手段】
【０００７】
本発明の撮像装置は、撮像指示操作部材の操作に応じて画像を撮像する撮像装置であって、画像を表示する表示部と、撮像光学系によって撮像された画像を表示部に表示する画像表示手段と、表示部の画像に重畳して情報表示を行う情報表示手段と、撮像指示操作部材とは異なる操作部材とを有し、操作部材の操作開始に応じて重畳する情報表示状態を第１の表示状態とし、操作部材の操作終了に応じて重畳する情報表示状態を第１の表示状態とは異なる第２の表示状態とすることを特徴としている。
【０００８】
また、本発明の撮像装置は、撮像指示操作部材の操作に応じて画像を撮像する撮像装置であって、画像を表示する表示部と、記録素子に記録された画像を表示部に表示する画像表示手段と、表示部に表示された記録素子に記録された画像に重畳して情報表示を行う情報表示手段と、撮像指示操作部材とは異なる操作部材を有し、操作部材の操作開始に応じて重畳する情報表示状態を第１の表示状態とし、操作部材の操作終了に応じて重畳する情報表示状態を第１の表示状態とは異なる第２の表示状態とすることを特徴としている。
【０００９】
重畳する情報表示状態を第１の表示状態と第２の表示状態との間で変更する変更処理は、例えば記録素子に記録された画像に対して画像処理を施そうとして該画像を表示部に表示した状態において実行され、重畳する情報表示には、画像処理に関する情報を含む。
【００１０】
第１の表示状態と第２の表示状態の少なくとも一方の表示状態において表示される項目および／または形態を変更することができることが好ましい。
【００１１】
操作部材の操作開始に応じて、例えば撮像光学系の開口を第１の開口状態とし、操作部材の操作終了に応じて該開口を第１の開口状態とは異なる第２の開口状態とすることができる。
【発明の効果】
【００１２】
本発明によれば、使いやすい撮像装置を提供することができる。
【図面の簡単な説明】
【００１３】
【図１】本発明の撮像装置の一実施形態であるデジタルカメラの背面図である。
【図２】図１のデジタルカメラの頂面図である。
【図３】ライブビュー画面に何等かの情報が重畳される様子を示す図である。
【図４】再生画面に何等かの情報が重畳される様子を示す図である。
【図５】従来のカメラにおけるライブビュー画面の情報表示の切り替えの様子を示す図である。
【図６】従来のカメラにおける再生画面の情報表示の切り替えの様子を示す図である。
【図７】本実施形態のライブビュー画面における情報表示の切り替えの様子を示す図である。
【図８】本実施形態のライブビュー画面における情報表示の切り替えの様子を示す図である。
【図９】画像編集機能の画像選択画面において、選択候補とする画像を確認するために一時的に情報表示を停止し、選択候補画像を拡大表示する場合を例示する図である。
【図１０】一時的に非表示とする情報の設定をユーザが任意に切り替えるためのメニュー表示を例示する図である。
【発明を実施するための形態】
【００１４】
以下、本発明の実施の形態を、図面を参照して説明する。図１および図２は、本発明の撮像装置の一実施形態であるデジタルカメラの背面図および頂面図である。
【００１５】
本実施形態の撮像装置は、例えばレンズ（光学系）交換式のデジタルカメラ１００である。デジタルカメラ１００の背面略中央左寄りには、液晶画面（表示部）１０１が配置され、液晶画面１０１の右側には、情報表示切替ボタン１０２、再生ボタン１０３、ディスプレイボタン１０５が配置される。液晶画面１０１の上方略中央には、光学ファインダ１０６が配置され、左側には、ライブビューボタン１０４が配置される。
【００１６】
図２の頂面図に示されるように、デジタルカメラ１００の右手用のグリップ２００（図２左側）の頂面には、電源／プレビューレバー２０１とシャッタボタン（撮像指示操作部材）２０２が配置され、その後方には副液晶画面２０３が配置される。また頂面の略中央にはホットシュー２０４が配置され、更に右端にはモードダイヤル２０５が配置される。
【００１７】
液晶画面１０１では、撮影レンズを通したライブビューの表示や、メモリ（記録素子）に記録した静止画や動画を読み出し、再生画像として表示することができる。また、画像撮影時や画像再生時には、画像情報や各種機能の設定値などの情報をライブビューや再生画像に重畳して表示することが可能である。
【００１８】
情報表示切替ボタン１０２は、画像撮影時および画像再生時に、ライブビューや再生画像に重畳して表示する情報を切り替えるための操作部材である。再生ボタン１０３は、撮影モードと再生モードの切り替えに用いられる。ライブビューボタン１０４は、光学ファインダ１０６を覗いて撮影を行う光学ファインダ撮影モードと、液晶画面１０１に表示されるライブビュー画面を見ながら撮影を行うライブビュー撮影モードの間の撮影モードの切り替えを行う。ディスプレイボタン１０５は、後述するように、一時的に情報表示を非表示にするための操作部材である。また、電源／プレビューレバー２０１は、デジタルカメラ１００の主電源のオン／オフを行う他、オフからオンに操作した先にプレビュー用のポジションを備え、同ポジションまでレバーを操作することでプレビュー動作を起動することができる。
【００１９】
図３は、ライブビュー画面に何等かの情報が重畳される様子を示す図である。図３（ａ）は、撮影情報をライブビュー画面に重畳した状態を示し、図３（ｂ）はライブビュー画面に電子水準器を重畳した状態を示す。また図３（ｃ）は基本的には情報を表示しないが、オートフォーカス時（シャッタボタン２０２の半押し操作時）に使用する測距枠をライブビュー画面に重畳した状態を示す。なお、図３（ａ）において重畳されている撮影情報は、Ｐ：露出モード情報（プログラムモード）、電池マーク：電池残量情報、ＨＤＲ ＯＮ：ダイナミックレンズ拡大処理情報（ＯＮ）、□：測距情報（測距枠、測距結果）、Ｆ２．８ １／４０００：絞り値・シャッター速度値情報、である。
【００２０】
図４は、再生画面に何等かの情報が重畳される様子を示す図である。図４（ａ）は、撮影時の露出設定など基本的な情報のみを再生画面に重畳する状態を示し、図４（ｂ）は、より詳細な設定値等を表示するために、再生画像を縮小して画面の一部（図４（ｂ）では左上）に表示し、詳細情報を縮小画像の周辺に表示したものである。図４（ｃ）は、再生画面にヒストグラムを重畳した状態を示し、図４（ｄ）は、再生画面に情報を重畳しない状態を示す。
【００２１】
ユーザは、図３、図４の各々の画面表示において、情報表示を切り替えることがあるが、従来のカメラでは、例えばトグル操作を繰り返すことにより画面表示を切り替えていた。例えば図３（ａ）〜（ｃ）のライブビュー画面における情報表示の切り替えの場合は、図５のようになる。すなわち、左端の「ライブビュー(情報表示あり)」から右端の「ライブビュー(情報表示なし)」に切り替えるには、電子水準器が表示された中央の「ライブビュー（電子水準器）」の表示を経由する必要があり、この場合、情報表示切替ボタン（ＩＮＦＯボタン）１０２を２回押下する必要がある。そして、撮影時の構図を確定した後に、再度左端の「ライブビュー(情報表示あり)」の画面に戻るには、再度情報表示切替ボタン（ＩＮＦＯボタン）１０２を操作する必要がある。
【００２２】
これは、再生画面においても同様であり、図６に示されるように、左端の「再生画面（情報表示あり）」の状態から右端の「再生画面（情報表示なし）」の状態にするには情報表示切替ボタン（ＩＮＦＯボタン）１０２を３回押下する必要があり、再度右端の「再生画面（情報表示あり）」に戻るには、再度情報表示切替ボタン（ＩＮＦＯボタン）１０２を操作する必要がある。図５、６に示されるように、従来のカメラでは、一時的に情報表示を消去し、画像を確認し、その後元の状態に戻すにはボタン操作を何度も繰り返さなければならなかった。
【００２３】
本実施形態では、図７、図８のように構成にすることで、上記問題に対応している。すなわち、図７のライブビュー画面の場合には、情報表示切替ボタン（ＩＮＦＯボタン）１０２による画面の切り替えに関しては図５と同様としつつも、これに加えて、操作部材であるディスプレイボタン（ＤＩＳＰボタン）１０５が押下された場合、ディスプレイボタン（ＤＩＳＰボタン）１０５の押下が保持されている間、一時的に全て（または所定の）情報表示の重畳を停止し、例えばライブビューのみを液晶画面１０１に表示する。そしてディスプレイボタン（ＤＩＳＰボタン）１０５の押下が解除されると、ディスプレイボタン（ＤＩＳＰボタン）１０５が押下される前の画面表示に戻る。
【００２４】
なお、ディスプレイボタン（ＤＩＳＰボタン）１０５の操作開始に応じて撮像光学系の開口を第１の開口状態とし、ディスプレイボタン（ＤＩＳＰボタン）１０５の操作終了に応じて該開口を第１の開口状態とは異なる第２の開口状態とする構成とすることもできる。このように構成することで、ライブビュー時の光学プレビュー時にライブビュー画面上の情報表示を一時的に非表示とすることができるので、被写界深度を全画角に対して確認できる。
【００２５】
図８の再生画像を表示する画面の場合には、情報表示切替ボタン（ＩＮＦＯボタン）１０２による画面の切り替えに関しては図６と同様としつつ、これに加えて、ディスプレイボタン（ＤＩＳＰボタン）１０５が押下された場合、ディスプレイボタン（ＤＩＳＰボタン）１０５の押下が保持されている間、一時的に全て（または所定の）情報表示の重畳を停止し、例えば再生画像のみを液晶画面１０１に表示する。そしてディスプレイボタン（ＤＩＳＰボタン）１０５の押下が解除されると、ディスプレイボタン（ＤＩＳＰボタン）１０５が押下される前の画面表示に戻る。
【００２６】
また、画像上に情報表示が重畳されるケースとしては、再生画像の編集機能なども考えられる。図９の左側は、メモリ（記録素子）に記録されたＲＡＷ画像を展開する（画像処理する）際に設定する各種パラメータの選択画面である。図９左側の画面例では各種パラメータを示す３行７列（但し、右寄り最下段は２アイコン分のスペースで「ＪＰＥＧ保存」）のアイコンが配置されている。そして選択中パラメータとして左最上段のアイコン（「画像サイズ」）が選択され、その設定値は「Ｌ」（ラージ）が選択されている状態を示している。これらアイコン等の情報は、ＲＡＷ展開しようとしている画像に重畳して表示されている。このような表示状態において、ＲＡＷ展開しようとしている画像を再確認するために一時的に情報表示を停止（消去）し、当該画像のみを表示する場合を図９の右側に例示している。本実施形態では、特定の操作部材(ここではディスプレイボタン（ＤＩＳＰボタン）１０５の操作により一時的に情報表示を切り替える。すなわちディスプレイボタン（ＤＩＳＰボタン）１０５の操作（例えば押下）開始と同時に情報表示を非表示とし（図９の右側参照）、ディスプレイボタン（ＤＩＳＰボタン）１０５の操作（例えば押下）終了と同時に情報表示の重畳を再開する。つまり、ディスプレイボタン（ＤＩＳＰボタン）１０５の操作中のみ情報表示を消去し、画像のみを見易く表示するのである。なお、ＲＡＷ展開（画像処理）するための各種パラメータとしては、例えばホワイトバランス、増減感、収差補正、記録形式、アスペクト比、画像サイズ（ＪＰＥＧ記録サイズ）、画像のリサイジング、トリミング、回転、フィルタ処理などが挙げられる。このように、対象となる画像を何度も確認しつつ、各種パラメータを設定するような場合に、本実施形態のユーザインタフェースが特に有効である。
【００２７】
また例えば図１０のようなメニューを用意し、一時的に非表示とする情報の設定をユーザが任意に切り替えることが出来る構成とすることもできる。例えばライブビュー表示の際、構図調整の場合には、ユーザはディスプレイボタン１０５を操作した情報非表示画面においてもグリッド線は残したい場合もあるが、グリッド線を消去して撮影画像に集中したい場合もある。したがって、ユーザが用途や好みに応じて一時的に非表示とする情報をカスタマイズできることが望まれる。そのため図１０のメニュー画面では、グリッド線、測距枠、露出設定など、情報非表示画面において消去される情報を選択することができる。
【００２８】
以上のように、本実施形態によれば、特定のボタン操作が開始された時点から、ライブビュー、または、再生画像に重畳した情報表示を非表示とし、そのボタン操作が解除された時点で重畳されていた情報表示に復帰することができる。すなわち、単一のボタン操作が開始された時点から解除されるまでの間のみ情報を非表示とすることができる。これにより、極めて簡単な操作で、一時的に不要な情報を非表示として画面に表示された画像の視認性を高めることができるとともに、画像確認後は、ユーザは簡単な操作で情報表示を素早く元に戻すことができる。このように単一の操作部材の操作のみによって、画像に重畳された情報の表示／非表示が変更できるユーザインタフェースは、いわば「かゆい所に手が届くユーザインタフェ−ス」であり、「答え」を聞けば発明は容易に思えるかも知れないが、実際の開発においては、ユーザの思考を妨げることがないようはユーザインタフェースとして何がベストなのか、何度も試行錯誤し、実際に操作フィーリングを確かめつつ進めることで初めてユーザにとって最適な解に到達できるものである。
【００２９】
なお、本実施形態ではレンズ交換式のデジタルカメラを例に説明を行なったが、本発明はコンパクトカメラや、カメラ付き携帯、スマートホンなどにも利用できる。
【符号の説明】
【００３０】
１００  デジタルカメラ
１０１  液晶画面（表示部）
１０２  情報表示切替ボタン
１０３  再生ボタン
１０４  ライブビューボタン
１０５  ディスプレイボタン（操作部材）
２０２  シャッタボタン（撮像指示操作部材）
【図１】
2020043604.tif 000003
【図２】
2020043604.tif 000004
【図３】
2020043604.tif 000005
【図４】
2020043604.tif 000006
【図５】
2020043604.tif 000007
【図６】
2020043604.tif 000008
【図７】
2020043604.tif 000009
【図８】
2020043604.tif 000010
【図９】
2020043604.tif 000011
【図１０】
2020043604.tif 000012
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
第１操作部の操作に応じて画像を撮像する撮像装置であって、
前記画像を表示する表示部と、
撮像された画像を前記表示部に表示する画像表示手段と、
前記表示部の前記画像に重畳して情報表示を行う情報表示手段と、
前記第１操作部とは異なる第２操作部とを有し、
前記第２操作部の操作開始から操作終了までの間、前記重畳された情報表示の少なくとも一部を非表示状態とする
ことを特徴とした撮像装置。
【請求項２】
第１操作部の操作に応じて画像を撮像する撮像装置であって、
前記画像を表示する表示部と、
記録素子に記録された画像を前記表示部に表示する画像表示手段と、
前記表示部に表示された前記記録素子に記録された画像に重畳して情報表示を行う情報表示手段と、
前記第１操作部とは異なる第２操作部を有し、
前記第２操作部の操作開始から操作終了までの間、前記重畳された情報表示の少なくとも一部を非表示状態とする
ことを特徴とした撮像装置。
【請求項３】
前記第２操作部の操作終了に応じて前記非表示状態とされた前記情報表示を元の表示状態に戻すことを特徴とした請求項１または２に記載の撮像装置。
【請求項４】
請求項１〜３の何れか一項に記載の撮像装置が搭載されたことを特徴とするスマートフォン。